(57)【特許請求の範囲】
【請求項１】
物体側から順に配置された、最物体側に負の屈折力を有する第１〜第３レンズが３枚連続して配置され全体として負の屈折力を有する第１レンズ群と、少なくとも１組の接合レンズを含み全体として正の屈折力を有する第２レンズ群と、第３レンズ群と、を備え、
前記第１レンズ群、前記第２レンズ群、前記第３レンズ群の光軸上の相互間隔を変化させることにより、広角端から望遠端への変倍を行い、
前記第２レンズ群に含まれる接合レンズを構成するレンズにおいて分散が最も小さいレンズのアッベ数をνｍａｘ２ａ、前記第１レンズ群に含まれる第２レンズまたは第３レンズのうち分散が小さいほうのレンズのアッベ数をνｍａｘｇ２３、前記第１レンズ群の合成焦点距離をｆｇ１、光学系全系の広角端における焦点距離をｆｗとするとき、
以下に示す条件式を満足することを特徴とする広角ズームレンズ。
（１）  ７０≦νｍａｘ２ａ≦９９
（２）  ７５≦νｍａｘｇ２３≦９９
（３）  −１０≦ｆｇ１／ｆｗ≦−２．８０
【請求項２】
前記第１レンズ群に含まれる第１〜第３レンズの合成焦点距離をｆ１２３、光学系全系の広角端における焦点距離をｆｗとするとき、
以下に示す条件式を満足することを特徴とする請求項１に記載の広角ズームレンズ。
（４）  −６≦ｆ１２３／ｆｗ≦−１
【請求項３】
前記第３レンズ群中に存在する負レンズは１枚のみであり、該負レンズの焦点距離をｆ３ｇｎ、光学系全系の望遠端における焦点距離をｆｔとするとき、
以下に示す条件式を満足することを特徴とする請求項１または２に記載の広角ズームレンズ。
（５）  −０．７３≦ｆｔ／ｆ３ｇｎ≦−０．２２
【請求項４】
広角端から望遠端への変倍の際の前記第２レンズ群の移動量をΔＤ２、最大像高をＹ、光学系全系の広角端における焦点距離をｆｗ、光学系全系の望遠端における焦点距離をｆｔとするとき、
以下に示す条件式を満足することを特徴とする請求項１〜３のいずれか一つに記載の広角ズームレンズ。
（７）  ０．５≦（ΔＤ２／Ｙ）×（ｆｗ／ｆｔ）≦２．９
【請求項５】
前記第１レンズ群に含まれる第１レンズのｄ線に対する屈折率をＮ１とするとき、
以下に示す条件式を満足することを特徴とする請求項１〜４のいずれか一つに記載の広角ズームレンズ。
（８）  １．７０≦Ｎ１≦２．１
【請求項６】
前記第２レンズ群に含まれるいずれか１組の接合レンズを構成する、負レンズの部分分散比をθｍｇｆ、正レンズの部分分散比をθｐｇｆ、前記負のレンズのｄ線に対するアッベ数をνｍ、前記正のレンズのｄ線に対するアッベ数をνｐとするとき、
以下に示す条件式を満足することを特徴とする請求項１〜５のいずれか一つに記載の広角ズームレンズ。
（１２）  ｜（θｍｇｆ−θｐｇｆ）／（νｍ−νｐ）｜≦０．００３
【発明の詳細な説明】
【技術分野】
【０００１】
本発明は、ＣＣＤやＣ−ＭＯＳ等の固体撮像素子が搭載された撮像装置に好適な広角ズームレンズに関する。
【背景技術】
【０００２】
ＣＣＤやＣ−ＭＯＳ等の固体撮像素子が搭載された撮像装置に用いることが可能な広角ズームレンズが数多く提案されている（たとえば、特許文献１〜３を参照。）。
【先行技術文献】
【特許文献】
【０００３】
【特許文献１】特開２０１２−１９４２３８号公報
【特許文献２】特開２００９−２７１１６５号公報
【特許文献３】特開２００９−１０３７９０号公報
【発明の概要】
【発明が解決しようとする課題】
【０００４】
近年、ｗｅｂカメラ、モニターカメラ、ビデオカメラ等において、高感度で広角撮影が可能なズームレンズのニーズが高まっている。また、監視カメラの分野でも、犯罪の抑止や、信頼性の高い証拠を記録するために、簡易な構成でありながら、広角で明るく、可視光全域のみならず近赤外光域の撮影が可能なズームレンズのニーズが高まっている。さらに、近年、ますます撮像装置の小型化が促進されたことにより、ズームレンズのさらなる小型化も要求されている。
【０００５】
しかしながら、上記各特許文献に開示された光学系はじめとして従来の技術では、近年のニーズを満たすズームレンズの実現には至っていない。
【０００６】
たとえば、特許文献１に開示された光学系は、広角側焦点距離に対する望遠側焦点距離の比（以下、変倍比という）が５〜９程度あり、また変倍の際の収差変動を良好に補正することができる。しかし、Ｆナンバーが２．１〜２．７程度と暗いレンズである。特許文献２，３に開示された光学系は、いずれもＦナンバーが１．５程度と明るく、また変倍の際の収差変動も良好に補正されている。しかし、変倍比が１．５程度と小さい。さらに、上記各特許文献に開示された光学系は、近年のニーズを満たすほど、光学系全長の小型化が達成されているとは云いがたい。
【０００７】
本発明は、上述した従来技術による問題点を解消するため、簡易な構成でありながら、高変倍、大口径、高解像の広角ズームレンズを提供することを目的とする。加えて、全長が短く、色収差の補正、周辺解像性能が良好な広角ズームレンズを提供することを目的とする。
【課題を解決するための手段】
【０００８】
上述した課題を解決し、目的を達成するため、本発明にかかる広角ズームレンズは、物体側から順に配置された、最物体側に負の屈折力を有する第１〜第３レンズが３枚連続して配置され全体として負の屈折力を有する第１レンズ群と、少なくとも１組の接合レンズを含み全体として正の屈折力を有する第２レンズ群と、第３レンズ群と、を備え、前記第１レンズ群、前記第２レンズ群、前記第３レンズ群の光軸上の相互間隔を変化させることにより、広角端から望遠端への変倍を行い、前記第２レンズ群に含まれる接合レンズを構成するレンズにおいて分散が最も小さいレンズのアッベ数をνｍａｘ２ａ、前記第１レンズ群に含まれる第２レンズまたは第３レンズのうち分散が小さいほうのレンズのアッベ数をνｍａｘｇ２３とするとき、以下に示す条件式を満足することを特徴とする。
（１）  ７０≦νｍａｘ２ａ≦９９
（２）  ７０≦νｍａｘｇ２３≦９９
【０００９】
本発明によれば、簡易な構成でありながら、高変倍、大口径、高解像の広角ズームレンズを実現することができる。
【００１０】
また、本発明にかかる広角ズームレンズは、物体側から順に配置された、最物体側に負の屈折力を有する第１〜第３レンズが３枚連続して配置され全体として負の屈折力を有する第１レンズ群と、少なくとも１組の接合レンズを含み全体として正の屈折力を有する第２レンズ群と、第３レンズ群と、を備え、前記第１レンズ群、前記第２レンズ群、前記第３レンズ群の光軸上の相互間隔を変化させることにより、広角端から望遠端への変倍を行い、前記第２レンズ群に含まれる接合レンズを構成するレンズにおいて分散が最も小さいレンズのアッベ数をνｍａｘ２ａ、前記第１レンズ群の合成焦点距離をｆｇ１、光学系全系の広角端における焦点距離をｆｗとするとき、以下に示す条件式を満足することを特徴とする。
（１）  ７０≦νｍａｘ２ａ≦９９
（３）  −１０≦ｆｇ１／ｆｗ≦−２．４
【００１１】
本発明によれば、簡易な構成でありながら、高変倍、大口径、高解像の広角ズームレンズ実現することができる。特に、全長が短く、色収差の補正、周辺解像性能が良好な広角ズームレンズを実現することができる。
【００１２】
さらに、本発明にかかる広角ズームレンズは、前記発明において、前記第１レンズ群に含まれる第１〜第３レンズの合成焦点距離をｆ１２３、光学系全系の広角端における焦点距離をｆｗとするとき、以下に示す条件式を満足することを特徴とする。
（４）  −６≦ｆ１２３／ｆｗ≦−１
【００１３】
本発明によれば、光学系の全長を短く維持しながら、より広角化、高変倍化が可能になる。
【００１４】
さらに、本発明にかかる広角ズームレンズは、前記発明において、前記第３レンズ群が１枚の負レンズを含んで構成され、該負レンズの焦点距離をｆ３ｇｎ、光学系全系の望遠端における焦点距離をｆｔとするとき、以下に示す条件式を満足することを特徴とする。
（５）  −０．７３≦ｆｔ／ｆ３ｇｎ≦−０．２２
【００１５】
本発明によれば、光学系の全長を短く維持しながら、より高変倍化を実現することができる。
【００１６】
さらに、本発明にかかる広角ズームレンズは、前記発明において、前記第３レンズ群以降に少なくとも１枚以上の正レンズが配置されており、当該正レンズのうち最も屈折力が強い正レンズの焦点距離をｆ３ｇｐ、光学系全系の望遠端における焦点距離をｆｔとするとき、以下に示す条件式を満足することを特徴とする。
（６）  ０≦ｆｔ／ｆ３ｇｐ≦０．３３
【００１７】
本発明によれば、球面収差と像面湾曲を効果的に補正することができる。
【００１８】
さらに、本発明にかかる広角ズームレンズは、前記発明において、広角端から望遠端への変倍の際の前記第２レンズ群の移動量をΔＤ２、最大像高をＹ、光学系全系の広角端における焦点距離をｆｗ、光学系全系の望遠端における焦点距離をｆｔとするとき、以下に示す条件式を満足することを特徴とする。
（７）  ０．５≦（ΔＤ２／Ｙ）×（ｆｗ／ｆｔ）≦２．９
【００１９】
本発明によれば、光学系の全長を短く維持しながら、解像度をより高めることができる。
【００２０】
さらに、本発明にかかる広角ズームレンズは、前記発明において、前記第１レンズ群に含まれる第１レンズのｄ線に対する屈折率をＮ１とするとき、以下に示す条件式を満足することを特徴とする。
（８）  １．７０≦Ｎ１≦２．１
【００２１】
本発明によれば、より広角、高解像の光学系を実現することができる。
【発明の効果】
【００２２】
本発明によれば、簡易な構成でありながら、高変倍が可能で、明るく、高解像の広角ズームレンズを提供することができるという効果を奏する。加えて、全長が短く、色収差の補正、周辺解像性能が良好な広角ズームレンズを提供することができるという効果を奏する。
【図面の簡単な説明】
【００２３】
【図１】実施例１にかかる広角ズームレンズの構成を示す光軸に沿う断面図である。
【図２】実施例１にかかる広角ズームレンズの諸収差図である。
【図３】実施例２にかかる広角ズームレンズの構成を示す光軸に沿う断面図である。
【図４】実施例２にかかる広角ズームレンズの諸収差図である。
【図５】実施例３にかかる広角ズームレンズの構成を示す光軸に沿う断面図である。
【図６】実施例３にかかる広角ズームレンズの諸収差図である。
【図７】実施例４にかかる広角ズームレンズの構成を示す光軸に沿う断面図である。
【図８】実施例４にかかる広角ズームレンズの諸収差図である。
【図９】実施例５にかかる広角ズームレンズの構成を示す光軸に沿う断面図である。
【図１０】実施例５にかかる広角ズームレンズの諸収差図である。
【発明を実施するための形態】
【００２４】
以下、本発明にかかる広角ズームレンズの好適な実施の形態を詳細に説明する。
【００２５】
本発明にかかる広角ズームレンズは、物体側から順に配置された、最物体側に負の屈折力を有する第１〜第３レンズが３枚連続して配置され全体として負の屈折力を有する第１レンズ群と、少なくとも１組の接合レンズを含み全体として正の屈折力を有する第２レンズ群と、第３レンズ群と、を備えて構成される。そして、第１レンズ群、第２レンズ群、第３レンズ群の光軸上の相互間隔を変化させることにより、広角端から望遠端への変倍を行う（以上、基本構成）。
【００２６】
本発明は、簡易な構成でありながら、高変倍、大口径、高解像の広角ズームレンズを提供することを目的とする（第１の目的）。そこで、かかる目的を達成するため、以下に示すような各種条件を設定している。
【００２７】
まず、本発明にかかる広角ズームレンズでは、前記基本構成において、第２レンズ群に含まれる接合レンズを構成するレンズにおいて分散が最も小さいレンズのアッベ数をνｍａｘ２ａ、第１レンズ群に含まれる第２レンズまたは第３レンズのうち分散が小さいほうのレンズのアッベ数をνｍａｘｇ２３とするとき、次の条件式を満足することが好ましい。
（１）  ７０≦νｍａｘ２ａ≦９９
（２）  ７０≦νｍａｘｇ２３≦９９
【００２８】
条件式（１），（２）を満足することにより、簡易な構成で、広角化、高変倍化、大口径化の際に顕著になる色収差を良好に補正することが可能になる。この結果、可視光全域のみならず近赤外光域の撮影が可能で、高変倍、大口径、高解像の広角ズームレンズを実現することができる。
【００２９】
条件式（１）を満足することにより、第２レンズ群における分散や異常分散を適切に制御することが可能になり、色収差を良好に補正することができる。本発明では、第２レンズ群が負レンズと正レンズとからなる接合レンズを含んでいることで、色収差の補正に有利な構成となっているが、条件式（１）を満足することで、色収差の補正により高い効果が得られる。条件式（１）においてその下限を下回ると、色収差、特に軸上および光軸近辺の倍率色収差を補正することが困難になる。一方、条件式（１）においてその上限を超えると、第２レンズ群における分散や異常分散を過剰に補正してしまい、良好な色収差の補正が困難になる。
【００３０】
なお、上記条件式（１）は、次に示す範囲を満足すると、より好ましい効果が期待できる。
（１ａ）  ７７≦νｍａｘ２ａ≦８５
この条件式（１ａ）で規定する範囲を満足することにより、第２レンズ群における分散や異常分散をより適切に制御することが可能になり、軸上および光軸近辺の倍率色収差をより良好に補正することができる。
【００３１】
また、条件式（２）を満足することにより、第１レンズ群における分散を適切に制御することが可能になり、色収差を良好に補正することができる。条件式（２）においてその下限を下回ると、色収差、特に広角端における倍率色収差の補正の補正が困難になる。一方、条件式（２）においてその上限を超えると、第１レンズ群における分散を過剰に補正してしまい、良好な色収差の補正が困難になる。
【００３２】
なお、上記条件式（２）は、次に示す範囲を満足すると、より好ましい効果が期待できる。
（２ａ）  ７５≦νｍａｘｇ２３≦９０
この条件式（２ａ）で規定する範囲を満足することにより、第１レンズ群における分散をより適切に制御することが可能になり、倍率色収差をより良好に補正することができる。
【００３３】
また、本発明は、第１の目的に加え、全長が短く、色収差の補正、周辺解像性能が良好な広角ズームレンズを提供することを目的としている（第２の目的）。そこで、かかる目的を達成するため、以下に示すような各種条件を設定している。
【００３４】
本発明では、第２の目的を達成するため、上記基本構成において、第２レンズ群に含まれる接合レンズを構成するレンズにおいて分散が最も小さいレンズのアッベ数をνｍａｘ２ａ、第１レンズ群の合成焦点距離をｆｇ１、光学系全系の広角端における焦点距離をｆｗとするとき、次の条件式を満足することが好ましい。
（１）  ７０≦νｍａｘ２ａ≦９９
（３）  −１０≦ｆｇ１／ｆｗ≦−２．４
【００３５】
条件式（１），（３）を満足することにより、光学系の全長を短く維持しながら、広角化、高変倍化、大口径化の際に顕著になる色収差、コマ収差、球面収差を良好に補正することが可能になる。この結果、全長が短く、色収差の補正、周辺解像性能が良好な広角ズームレンズを実現することができる。
【００３６】
条件式（１）については、前述したとおりである。条件式（３）は、第１レンズ群の合成焦点距離と光学系全系の広角端における焦点距離との比を規定する式である。条件式（３）を満足することにより、光学系全長を短く維持しながら、コマ収差、球面収差を良好に補正することができる。条件式（３）においてその下限を下回ると、望遠端におけるコマ収差の補正が困難になり、周辺部の解像度が低下する。加えて、光学系全長の短縮が困難になる。一方、条件式（３）においてその上限を超えると、第１レンズ群のパワーが強くなりすぎて、望遠端における球面収差の補正が困難になる。
【００３７】
なお、本発明の広角ズームレンズにおいて、上記条件式（１）〜（３）をすべて満足すれば、小型で、より高解像の光学系を実現することができる。
【００３８】
さらに、本発明にかかる広角ズームレンズでは、第１レンズ群に含まれる第１〜第３レンズの合成焦点距離をｆ１２３、光学系全系の広角端における焦点距離をｆｗとするとき、次の条件式を満足することが好ましい。
（４）  −６≦ｆ１２３／ｆｗ≦−１
【００３９】
条件式（４）は、第１レンズ群に含まれる第１〜第３レンズの合成焦点距離と光学系全系の広角端における焦点距離との比を規定する式である。条件式（４）を満足することにより、光学系の全長を短く維持しながら、より広角化、高変倍化が可能になる。条件式（４）においてその下限を下回ると、光学系全長が延び光学系の小型化が困難になる。一方、条件式（４）においてその上限を超えると、光学系の広角化が困難になる。
【００４０】
さらに、本発明にかかる広角ズームレンズでは、第３レンズ群を１枚の負レンズを含んで構成するとともに、その負レンズの焦点距離をｆ３ｇｎ、光学系全系の望遠端における焦点距離をｆｔとするとき、次の条件式を満足することが好ましい。
（５）  −０．７３≦ｆｔ／ｆ３ｇｎ≦−０．２２
【００４１】
条件式（５）は、第３レンズ群を負レンズを含んで構成した場合における、当該負レンズの焦点距離と光学系全系の望遠端における焦点距離との比を規定する式である。条件式（５）を満足することにより、光学系全長を短く維持しながら、より高変倍化を図ることができる。条件式（５）においてその下限を下回ると、望遠端における光束の結像面への入射角度が大きくなりすぎる。このため、共に用いる固体撮像素子の種類が限られ、好ましくない。一方、条件式（５）においてその上限を超えると、第３レンズ群のレンズの構成枚数を少なくて高変倍化をすることが困難になる。この結果、高変倍比化を実現するためには第３レンズ群のレンズ枚数を増やさなくてはならないため、光学系の簡易化、小型化が困難になる。
【００４２】
なお、上記条件式（５）は、次に示す範囲を満足すると、より好ましい効果が期待できる。
（５ａ）  −０．５５≦ｆｔ／ｆ３ｇｎ≦−０．３
この条件式（５ａ）で規定する範囲を満足することにより、光学系全長を短く維持しながら、さらなる高変倍化を図ることができる。
【００４３】
さらに、本発明にかかる広角ズームレンズでは、第３レンズ群以降に少なくとも１枚以上の正レンズを配置して構成するとともに、当該正レンズのうち最も屈折力が強い正レンズの焦点距離をｆ３ｇｐ、光学系全系の望遠端における焦点距離をｆｔとするとき、次の条件式を満足することが好ましい。
（６）  ０≦ｆｔ／ｆ３ｇｐ≦０．３３
【００４４】
条件式（６）は、第３レンズ群以降に少なくとも１枚以上の正レンズを配置して構成した場合における、当該正レンズのうち最も屈折力が強い正レンズの屈折力と光学系全系の望遠端における焦点距離との比を規定する式である。条件式（６）を満足することにより、球面収差と像面湾曲を効果的に補正することができる。条件式（６）においてその下限を下回ると、射出瞳位置を結像面から離すことが困難になり、光束の結像面への入射角度が大きくなりすぎる。このため、共に用いる固体撮像素子の種類が限られ、好ましくない。一方、条件式（６）においてその上限を超えると、広角端における球面収差の補正が不足し、望遠端における像面湾曲もアンダー側に過剰になって、好ましくない。
【００４５】
さらに、本発明にかかる広角ズームレンズでは、広角端から望遠端への変倍の際の第２レンズ群の移動量をΔＤ２、最大像高をＹ、光学系全系の広角端における焦点距離をｆｗ、光学系全系の望遠端における焦点距離をｆｔとするとき、次の条件式を満足することが好ましい。
（７）  ０．５≦（ΔＤ２／Ｙ）×（ｆｗ／ｆｔ）≦２．９
【００４６】
条件式（７）は、広角端から望遠端への変倍の際の第２レンズ群の移動量と最大像高との比と、光学系全系の広角端における焦点距離と光学系全系の望遠端における焦点距離との比との積を規定する式である。条件式（７）を満足することにより、光学系の全長を短く維持しながら、解像度をより高めることができる。条件式（７）においてその下限を下回ると、変倍の際の第２レンズ群の移動量は小さくなるものの、変倍時の収差変動が顕著になるため、好ましくない。一方、条件式（７）においてその上限を超えると、変倍の際の第２レンズ群の移動量が大きくなり、光学系の全長が延びるため、好ましくない。
【００４７】
さらに、本発明にかかる広角ズームレンズでは、第１レンズ群に含まれる第１レンズのｄ線に対する屈折率をＮ１とするとき、次の条件式を満足することが好ましい。
（８）  １．７０≦Ｎ１≦２．１
【００４８】
条件式（８）を満足することにより、より広角、高解像の光学系を実現することができる。条件式（８）においてその下限を下回ると、広角化を図ることが困難になる。一方、条件式（８）においてその上限を超えると、負の歪曲収差が増大し、補正が困難になる。
【００４９】
さらに、本発明にかかる広角ズームレンズでは、第３レンズ群の最物体側に負レンズを配置するとともに、当該負レンズの焦点距離をｆ３ｇ１、光学系全系の望遠端における焦点距離をｆｔとするとき、次の条件式を満足することが好ましい。
（９）  −０．７３≦ｆｔ／ｆ３ｇ１≦−０．２
【００５０】
条件式（９）は、第３レンズ群の最物体側に負レンズを配置して構成した場合における、当該負レンズの焦点距離と光学系全系の望遠端における焦点距離との比を規定する式である。条件式（９）を満足することにより、球面収差と像面湾曲を効果的に補正しながら、高変倍化が可能になる。条件式（９）においてその下限を下回ると、第３レンズ群の主点位置が物体側に近づくため、高変倍化が困難になる。一方、条件式（９）においてその上限を超えると、広角端における球面収差の補正が過剰になるとともに、望遠端における像面湾曲がオーバー側に過剰になって、好ましくない。
【００５１】
なお、上記条件式（９）は、次に示す範囲を満足すると、より好ましい効果が期待できる。
（９ａ）  −０．５５≦ｆｔ／ｆ３ｇ１≦−０．３
この条件式（９ａ）で規定する範囲を満足することにより、球面収差と像面湾曲をより効果的に補正しながら、より高変倍化が可能になる。
【００５２】
さらに、本発明にかかる広角ズームレンズでは、第１レンズ群に含まれる第２レンズのｄ線に対するアッベ数をν２とするとき、次の条件式を満足することが好ましい。
（１０）  ７０≦ν２≦９８
【００５３】
条件式（１０）を満足することにより、色収差を良好に補正することができる。条件式（１０）においてその下限を下回ると、軸上色収差の補正が困難になる。一方、条件式（１０）においてその上限を超えると、軸上色収差を過剰に補正してしまうため、好ましくない。
【００５４】
なお、上記条件式（１０）は、次に示す範囲を満足すると、より好ましい効果が期待できる。
（１０ａ）  ７５≦ν２≦９０
この条件式（１０ａ）で規定する範囲を満足することにより、色収差をより良好に補正することができる。
【００５５】
さらに、本発明にかかる広角ズームレンズでは、第１レンズ群に含まれる第３レンズのｄ線に対するアッベ数をν３とするとき、次の条件式を満足することが好ましい。
（１１）  ３０≦ν３≦９８
【００５６】
条件式（１１）を満足することにより、色収差を良好に補正することができる。条件式（１１）においてその下限を下回ると、広角端における色収差、特に倍率色収差補正の補正が困難になる。一方、条件式（１１）においてその上限を超えると、望遠端における軸上色収差が過剰補正になり、周辺部の青フレアの増加に繋がる。
【００５７】
なお、上記条件式（１１）は、次に示す範囲を満足すると、より好ましい効果が期待できる。
（１１ａ）  ３０≦ν３≦７０
この条件式（１１ａ）で規定する範囲を満足することにより、色収差をより良好に補正することができる。
【００５８】
さらに、本発明にかかる広角ズームレンズでは、第１レンズ群の最も結像面側に物体側に凸面を向けた正レンズを配置するとよい。このようにすることで、特に広角端における倍率色収差の補正が良好になる。
【００５９】
さらに、本発明にかかる広角ズームレンズでは、第２レンズ群の有効径を第３レンズ群の有効径よりも大きくなるように、具体的には第２レンズ群の最像側レンズの後面有効径が第３レンズ群の最物体側レンズの前面有効径よりも大きくなるように構成するとよい。このようにすることにより、大口径化された光学系において、第２レンズ群内の有効系を大きく維持することが可能になり、球面収差の補正に有利になる。
【００６０】
さらに、本発明にかかる広角ズームレンズでは、開口絞りを第１レンズ群と第２レンズ群との間に固定して配置することも可能である。このようにすれば、シャッター等の開口絞り近傍のメカ部品のより小型化を図ることができ、光軸と垂直方向のモジュールのサイズを小さくすることができる。
【００６１】
さらに、本発明にかかる広角ズームレンズでは、第２レンズ群の最も結像面側に、物体側から順に負レンズと正レンズの２枚のレンズを配置するとよい。このようにすることで、変倍比を相対的に大きくすることができるうえ、光束のセンサー入射角度を小さくして、バックフォーカスを大きく確保することができる。
【００６２】
さらに、本発明にかかる広角ズームレンズでは、第２レンズ群に含まれるいずれか１組の接合レンズを構成する、負レンズの部分分散比をΘｍｇｆ、正レンズの部分分散比をΘｐｇｆ、負のレンズのｄ線に対するアッベ数をνｍ、正のレンズのｄ線に対するアッベ数をνｐとするとき、次の条件式を満足することが好ましい。
（１２）  ｜（Θｍｇｆ−Θｐｇｆ）／（νｍ−νｐ）｜≦  ０．００３
なお、上記条件式（１２）は、次に示す範囲を満足すると、より好ましい効果が期待できる。
（１２ａ）  ｜（Θｍｇｆ−Θｐｇｆ）／（νｍ−νｐ）｜≦  ０．０００５
【００６３】
条件式（１２）は、第２レンズ群に含まれる接合レンズを構成する、負レンズの部分分散比と正のレンズの部分分散比との差と、第２レンズ群に含まれる接合レンズを構成する、負のレンズのｄ線に対するアッベ数と正のレンズのｄ線に対するアッベ数との差との比規定する式である。条件式（１２）を満足することにより、色収差を良好に補正することができる。条件式（１２）においてその下限を下回ると、異常分散を良好に保つことが困難になり、広い波長領域において軸上色収差を良好に補正することができなくなる。一方、条件式（１２）においてその上限を上回ると、異常分散を良好に保つことが困難になり、広い波長領域において軸上色収差を良好に補正することができなくなる。また、条件式（１２ａ）で規定する範囲を満足することにより、全変倍域において色収差の補正がより良好になる。
【００６４】
さらに、本発明にかかる広角ズームレンズでは、第３レンズ群以降に配置されるレンズの構成を負正先行とすることで、変倍比を相対的に大きくすることができるうえ、光束のセンサー入射角度を小さくして、バックフォーカスを大きく確保することができる。
【００６５】
さらに、本発明にかかる広角ズームレンズでは、第３レンズ群以降のレンズ群を、物体側から順に配置された、負レンズと正レンズとの２枚のレンズで構成するとよい。このようにすることで、第３レンズ群以降の構成が最も簡易で要求される結像性能が得られとともに、光学系全長の短縮を図ることもできる。
【００６６】
また、第３レンズ群以降のレンズ群の最も結像面側に配置される正レンズの物体側面を凸形状とすることにより、球面収差の補正が良好になる。また、第３レンズ群以降のレンズ群の最物体側に配置される負レンズの結像面側を凹形状とすることにより、球面収差の補正が良好になる。加えて、第３レンズ群以降のレンズ群を固定すれば、変倍時に第３レンズ群以降のレンズ群で発生する収差変動をより小さくすることができる。
【００６７】
さらに、本発明にかかる広角ズームレンズでは、第３レンズ群の最物体側に配置された負レンズの、ｄ線に対する屈折率をＮ３ｇｎ、ｄ線に対するアッベ数をν３ｇｎとするとき、次の条件式を満足することが好ましい。
（１３）  １．４８≦Ｎ３ｇｎ≦１．７
（１４）  ２８≦ν３ｇｎ
【００６８】
条件式（１３），（１４）は、高変倍、高解像の広角ズームレンズを実現するためのより有効な条件を示すものである。
【００６９】
条件式（１３）を満足することにより、高変倍が可能な、広角ズームレンズを実現することができる。条件式（１３）においてその下限を下回ると、第３レンズ群の主点位置が物体側へ移動して、変倍比を大きくすることが困難になる。一方、条件式（１３）においてその上限を超えると、広角端における像面湾曲の補正が過剰になり、広角化を図ることが困難になる。
【００７０】
条件式（１４）を満足することにより、全変倍域において軸上色収差の補正が良好になる。条件式（１４）においてその下限を下回ると、全変倍域において良好な軸上色収差の補正が困難になる。
【００７１】
なお、上記条件式（１４）は、次に示す範囲を満足すると、より好ましい効果が期待できる。
（１４ａ）  ２８≦ν３ｇｎ≦５５
この条件式（１４ａ）で規定する範囲を満足することにより、全変倍域において軸上色収差の補正がより良好になる。
【００７２】
さらに、本発明にかかる広角ズームレンズでは、光学系の広角端における半画角をωＷ、光学系全系の広角端における焦点距離をｆｗ、光学系全系の望遠端における焦点距離をｆｔとするとき、次の条件式を満足することが好ましい。
（１５）  １０≦ｔａｎωＷ×（ｆｔ／ｆｗ）≦２０
【００７３】
条件式（１５）は、光学系の広角端における半画角の正接値と、光学系全系の広角端における焦点距離と光学系全系の望遠端における焦点距離との比との積を規定する式である。条件式（１５）を満足することにより、高解像を維持しながら、広角化と高変倍化とを両立することが容易になる。条件式（１５）においてその下限を下回ると、広角化と高変倍化とを両立することが困難になる。一方、条件式（１５）においてその上限を超えると、高解像を維持しながら、広角化と高変倍化とを両立することができなくなる。
【００７４】
さらに、本発明にかかる広角ズームレンズでは、光学系の全長をＬ、光学系全系の広角端における焦点距離をｆｗとするとき、次の条件式を満足することが好ましい。
（１６）  ２５≦Ｌ／ｆｗ≦３５
【００７５】
条件式（１６）は、光学系全長と光学系全系の広角端における焦点距離との比を規定する式である。条件式（１６）を満足することにより、小型で高解像の光学系を実現することが容易になる。条件式（１６）においてその下限を下回ると、広角端における像面湾曲が顕著になり、好ましくない。一方、条件式（１６）においてその上限を超えると、光学系の全長が延び、光学系の小型化が困難になる。
【００７６】
以上説明したように、本発明によれば、上記構成を備えることにより、簡易な構成でありながら、高変倍、大口径、高解像の広角ズームレンズを実現することができる。加えて、全長が短く、色収差の補正、周辺解像性能が良好な広角ズームレンズを実現することができる。
【００７７】
特に、本発明では、上記各条件式を満足することにより、可視光全域のみならず近赤外光域の撮影が可能で、高変倍、大口径、高解像の広角ズームレンズを実現することができる。
【００７８】
以下、本発明にかかる広角ズームレンズの実施例を図面に基づき詳細に説明する。なお、以下の実施例により本発明が限定されるものではない。
【実施例１】
【００７９】
図１は、実施例１にかかる広角ズームレンズの構成を示す光軸に沿う断面図である。この広角ズームレンズは、図示しない物体側から順に、負の屈折力を有する第１レンズ群Ｇ11と、正の屈折力を有する第２レンズ群Ｇ12と、負の屈折力を有する第３レンズ群Ｇ13と、が配置されて構成される。第１レンズ群Ｇ11と第２レンズ群Ｇ12との間には、所定の口径を規定する開口絞りＳＴＰが配置されている。また、第３レンズ群Ｇ13と結像面ＩＭＧとの間には、カバーガラスＣＧが配置されている。
【００８０】
第１レンズ群Ｇ11は、物体側から順に、負レンズＬ111（第１レンズ）と、負レンズＬ112（第２レンズ）と、負レンズＬ113（第３レンズ）と、負レンズＬ114と、正レンズＬ115と、が配置されて構成される。負レンズＬ114と正レンズＬ115とは、接合されている。なお、負レンズＬ114の材質はＥＦＬ５、正レンズＬ115の材質はＳＮＰＨ３である。
【００８１】
第２レンズ群Ｇ12は、物体側から順に、正レンズＬ121と、負レンズＬ122と、正レンズＬ123と、負レンズＬ124と、正レンズＬ125と、が配置されて構成される。正レンズＬ121の両面には、非球面が形成されている。負レンズＬ122と正レンズＬ123とは、接合されている。なお、負レンズＬ122の材質はＢＳＣ７、正レンズＬ123の材質はＦＣＤ１００である。正レンズＬ125の両面には、非球面が形成されている。
【００８２】
第３レンズ群Ｇ13は、物体側から順に、負レンズＬ131と、正レンズＬ132と、が配置されて構成される。
【００８３】
この広角ズームレンズは、第２レンズ群Ｇ12を光軸に沿って結像面ＩＭＧ側から物体側へ移動させることによって、広角端から望遠端への変倍を行う。変倍に伴う結像面ＩＭＧの位置の補正を、第１レンズ群Ｇ11を光軸に沿って物体側から結像面ＩＭＧ側へ移動させることによって行う。なお、開口絞りＳＴＰと第３レンズ群Ｇ13は常時固定されており、変倍に際して移動しない。
【００８４】
以下、実施例１にかかる広角ズームレンズに関する各種数値データを示す。
【００８５】
広角ズームレンズ全系の焦点距離＝2.87（ｆｗ：広角端）〜11.65（ｆｔ：望遠端）
Ｆナンバー＝1.43（広角端）〜2.63（望遠端）
画角（２ω）＝74.40（広角端）〜15.60（望遠端）
最大像高（Ｙ）＝3.20
第１レンズ群Ｇ11の合成焦点距離（ｆｇ１）＝-9.39
第２レンズ群Ｇ12の合成焦点距離＝13.46
第３レンズ群Ｇ13の合成焦点距離＝-2754.12
変倍比＝4.06
第２レンズ群Ｇ12の最像側レンズの後面有効径＝10.38
第３レンズ群Ｇ13の最物体側レンズの前面有効径＝9.66
【００８６】
（レンズデータ）
ｒ1＝61.120
ｄ1＝1.200    ｎｄ1＝1.7725    νｄ1＝49.62
ｒ2＝9.224
ｄ2＝4.575
ｒ3＝217.093
ｄ3＝1.200    ｎｄ2＝1.497    νｄ2＝81.61
ｒ4＝42.377
ｄ4＝2.133
ｒ5＝-20.410
ｄ5＝1.000    ｎｄ3＝1.7725    νｄ3＝49.62
ｒ6＝-169.845
ｄ6＝0.100
ｒ7＝31.249
ｄ7＝1.000    ｎｄ4＝1.58144    νｄ4＝40.89
ｒ8＝18.960
ｄ8＝1.922    ｎｄ5＝1.95906    νｄ5＝17.47
ｒ9＝46.642
ｄ9＝D(9)（可変）
ｒ10＝∞（開口絞り）
ｄ10＝D(10)（可変）
ｒ11＝14.868（非球面）
ｄ11＝3.397    ｎｄ6＝1.4971    νｄ6＝81.56
ｒ12＝-123.149（非球面）
ｄ12＝1.779
ｒ13＝33.629
ｄ13＝0.600    ｎｄ7＝1.5168    νｄ7＝64.20
ｒ14＝8.965
ｄ14＝5.693    ｎｄ8＝1.437    νｄ8＝95.10
ｒ15＝-13.032
ｄ15＝0.100
ｒ16＝19.048
ｄ16＝0.600    ｎｄ9＝1.95906    νｄ9＝17.47
ｒ17＝13.518
ｄ17＝0.335
ｒ18＝15.069（非球面）
ｄ18＝2.226    ｎｄ10＝1.4971    νｄ10＝81.56
ｒ19＝-926.768（非球面）
ｄ19＝D(19)（可変）
ｒ20＝61.936
ｄ20＝0.600    ｎｄ11＝1.53172    νｄ11＝48.84
ｒ21＝10.542
ｄ21＝0.873
ｒ22＝22.285
ｄ22＝1.751    ｎｄ12＝1.8042    νｄ12＝46.5
ｒ23＝-206.297
ｄ23＝5.000
ｒ24＝∞
ｄ24＝1.500    ｎｄ13＝1.51633    νｄ13＝64.14
ｒ25＝∞
ｄ25＝D(25)（可変）
ｒ26＝∞（結像面）
【００８７】
円錐係数（ε）および非球面係数（Ａ，Ｂ，Ｃ，Ｄ，Ｅ）
（第１１面）
ε＝1，
Ａ＝0，
Ｂ＝-6.15714×10-5，Ｃ＝-3.17259×10-6，
Ｄ＝4.95820×10-8，Ｅ＝-1.32636×10-9
（第１２面）
ε＝1，
Ａ＝0，
Ｂ＝1.27088×10-4，Ｃ＝-3.16020×10-6，
Ｄ＝3.90315×10-8，Ｅ＝-9.57772×10-10
（第１８面）
ε＝1，
Ａ＝0，
Ｂ＝1.80287×10-5，Ｃ＝-2.50933×10-6，
Ｄ＝-4.37450×10-9，Ｅ＝9.92704×10-10
（第１９面）
ε＝1，
Ａ＝0，
Ｂ＝5.59937×10-5，Ｃ＝-3.19937×10-6，
Ｄ＝3.52337×10-8，Ｅ＝4.03307×10-10
【００８８】
（変倍データ）
広角端    望遠端
D(9)        23.7403    1.3707
D(10)       13.1651    1.033
D(19)        0.6      12.7321
D(25)        2.6201    2.6184
【００８９】
（条件式（１）に関する数値）
νｍａｘ２ａ＝95.10(正レンズＬ123のｄ線に対するアッベ数）
【００９０】
（条件式（２）に関する数値）
νｍａｘｇ２３＝81.61(負レンズＬ112のｄ線に対するアッベ数）
【００９１】
（条件式（３）に関する数値）
ｆｇ１／ｆｗ＝-3.27
【００９２】
（条件式（４）に関する数値）
ｆ１２３＝-7.433（負レンズＬ111と負レンズＬ112と負レンズＬ113の合成焦点距離）
ｆ１２３／ｆｗ＝-2.59
【００９３】
（条件式（５）に関する数値）
ｆ３ｇｎ＝-23.78（負レンズＬ131の焦点距離）
ｆｔ／ｆ３ｇｎ＝-0.49
【００９４】
（条件式（６）に関する数値）
ｆ３ｇｐ＝388.33（正レンズＬ132の焦点距離）
ｆｔ／ｆ３ｇｐ＝0.03
【００９５】
（条件式（７）に関する数値）
ΔＤ２＝12.1321（広角端から望遠端への変倍の際の第２レンズ群Ｇ12の移動量）
（ΔＤ２／Ｙ）×（ｆｗ／ｆｔ）＝0.93
【００９６】
（条件式（８）に関する数値）
Ｎ１＝1.7725（負レンズＬ111のｄ線に対する屈折率）
【００９７】
（条件式（９）に関する数値）
ｆ３ｇ１＝-23.78（負レンズＬ131の焦点距離）
ｆｔ／ｆ３ｇ１＝-0.49
【００９８】
（条件式（１０）に関する数値）
ν２＝81.61（負レンズＬ112のｄ線に対するアッベ数）
【００９９】
（条件式（１１）に関する数値）
ν３＝49.62（負レンズＬ113のｄ線に対するアッベ数）
【０１００】
（条件式（１２）に関する数値）
Θｍｇｆ＝0.5343（負レンズＬ122の部分分散比）
Θｐｇｆ＝0.5334（正レンズＬ123の部分分散比）
νｍ＝64.20（負レンズＬ122のｄ線に対するアッベ数）
νｐ＝95.10（正レンズＬ123のｄ線に対するアッベ数）
（Θｍｇｆ−Θｐｇｆ）／（νｍ−νｐ）＝-0.000029
【０１０１】
（条件式（１３）に関する数値）
Ｎ３ｇｎ＝1.5317（負レンズＬ131のｄ線に対する屈折率）
【０１０２】
（条件式（１４）に関する数値）
ν３ｇｎ＝48.84（負レンズＬ131のｄ線に対するアッベ数）
【０１０３】
（条件式（１５）に関する数値）
ｔａｎωＷ×（ｆｔ／ｆｗ）＝14.53
【０１０４】
（条件式（１６）に関する数値）
Ｌ／ｆｗ＝26.90
【０１０５】
図２は、実施例１にかかる広角ズームレンズの諸収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は最大像高（図中、Ｙで示す）を表し、Ｓはサジタル平面、Ｍはメリディオナル平面の特性を示している。歪曲収差図において、縦軸は最大像高（図中、Ｙで示す）を表し、ｄ線に相当する波長の特性を示している。
【実施例２】
【０１０６】
図３は、実施例２にかかる広角ズームレンズの構成を示す光軸に沿う断面図である。この広角ズームレンズは、図示しない物体側から順に、負の屈折力を有する第１レンズ群Ｇ21と、正の屈折力を有する第２レンズ群Ｇ22と、正の屈折力を有する第３レンズ群Ｇ23と、が配置されて構成される。第１レンズ群Ｇ21と第２レンズ群Ｇ22との間には、所定の口径を規定する開口絞りＳＴＰが配置されている。また、第３レンズ群Ｇ23と結像面ＩＭＧとの間には、カバーガラスＣＧが配置されている。
【０１０７】
第１レンズ群Ｇ21は、物体側から順に、負レンズＬ211（第１レンズ）と、負レンズＬ212（第２レンズ）と、負レンズＬ213（第３レンズ）と、正レンズＬ214と、が配置されて構成される。
【０１０８】
第２レンズ群Ｇ22は、物体側から順に、正レンズＬ221と、正レンズＬ222と、負レンズＬ223と、負レンズＬ224と、正レンズＬ225と、が配置されて構成される。正レンズＬ221の両面には、非球面が形成されている。正レンズＬ222と負レンズＬ223とは、接合されている。負レンズＬ224と正レンズＬ225とは、接合されている。なお、正レンズＬ222の材質はＦＣＤ１、負レンズＬ223の材質はＢＳＣ７、負レンズＬ224の材質はＮＢＦＤ１０、正レンズＬ225の材質はＦＣＤ１である。
【０１０９】
第３レンズ群Ｇ23は、物体側から順に、負レンズＬ231と、正レンズＬ232と、が配置されて構成される。正レンズＬ232の両面には、非球面が形成されている。
【０１１０】
この広角ズームレンズは、第２レンズ群Ｇ22を光軸に沿って結像面ＩＭＧ側から物体側へ移動させることによって、広角端から望遠端への変倍を行う。このとき、開口絞りＳＴＰも光軸に沿って結像面ＩＭＧ側から物体側へ移動する。結像面ＩＭＧの位置の補正を、第１レンズ群Ｇ21を光軸に沿って物体側から結像面ＩＭＧ側へ移動させることによって行う。なお、第３レンズ群Ｇ23は常時固定されており、変倍に際して移動しない。
【０１１１】
以下、実施例２にかかる広角ズームレンズに関する各種数値データを示す。
【０１１２】
広角ズームレンズ全系の焦点距離＝2.88（ｆｗ：広角端）〜11.60（ｆｔ：望遠端）
Ｆナンバー＝1.44（広角端）〜2.89（望遠端）
画角（２ω）＝77.10（広角端）〜16.48（望遠端）
最大像高（Ｙ）＝3.40
第１レンズ群Ｇ21の合成焦点距離（ｆｇ１）＝-8.38
第２レンズ群Ｇ22の合成焦点距離＝16.64
第３レンズ群Ｇ23の合成焦点距離＝31.54
変倍比＝4.03
第２レンズ群Ｇ22の最像側レンズの後面有効径＝11.18
第３レンズ群Ｇ23の最物体側レンズの前面有効径＝8.94
【０１１３】
（レンズデータ）
ｒ1＝74.400
ｄ1＝1.000    ｎｄ1＝1.83481    νｄ1＝42.72
ｒ2＝9.700
ｄ2＝4.790
ｒ3＝213.600
ｄ3＝0.800    ｎｄ2＝1.437    νｄ2＝95.10
ｒ4＝15.100
ｄ4＝3.380
ｒ5＝-24.530
ｄ5＝0.700    ｎｄ3＝1.7725    νｄ3＝49.62
ｒ6＝70.460
ｄ6＝0.100
ｒ7＝26.360
ｄ7＝2.300    ｎｄ4＝1.95906    νｄ4＝17.47
ｒ8＝-2217.600
ｄ8＝D(8)（可変）
ｒ9＝∞（開口絞り）
ｄ9＝1.800
ｒ10＝15.038（非球面）
ｄ10＝3.410    ｎｄ5＝1.4971    νｄ5＝81.56
ｒ11＝-46.370（非球面）
ｄ11＝1.620
ｒ12＝28.900
ｄ12＝3.900    ｎｄ6＝1.497    νｄ6＝81.61 
ｒ13＝-14.450
ｄ13＝0.700    ｎｄ7＝1.5168    νｄ7＝64.20
ｒ14＝-35.300
ｄ14＝0.200
ｒ15＝60.000
ｄ15＝0.600    ｎｄ8＝1.834    νｄ8＝37.34
ｒ16＝9.300
ｄ16＝3.700    ｎｄ9＝1.497    νｄ9＝81.61
ｒ17＝-34.140
ｄ17＝D(17)（可変）
ｒ18＝-27.100
ｄ18＝0.700    ｎｄ10＝1.5168    νｄ10＝64.2
ｒ19＝36.550
ｄ19＝5.000
ｒ20＝32.264（非球面）
ｄ20＝1.860    ｎｄ11＝1.59201    νｄ11＝67.02
ｒ21＝-16.195（非球面）
ｄ21＝3.000
ｒ22＝∞
ｄ22＝1.500    ｎｄ12＝1.51633    νｄ12＝64.14
ｒ23＝∞
ｄ23＝D(23)（可変）
ｒ24＝∞（結像面）
【０１１４】
円錐係数（ε）および非球面係数（Ａ，Ｂ，Ｃ，Ｄ，Ｅ）
（第１０面）
ε＝1.16，
Ａ＝0，
Ｂ＝-3.04470×10-5，Ｃ＝-7.58560×10-7，
Ｄ＝1.66321×10-8，Ｅ＝-1.06873×10-10
（第１１面）
ε＝1，
Ａ＝0，
Ｂ＝7.56417×10-5，Ｃ＝-8.77300×10-7，
Ｄ＝2.06971×10-8，Ｅ＝-1.34700×10-10
（第２０面）
ε＝-9.65，
Ａ＝0，
Ｂ＝3.66473×10-5，Ｃ＝3.02026×10-7，
Ｄ＝1.48292×10-8，Ｅ＝1.00056×10-8
（第２１面）
ε＝1，
Ａ＝0，
Ｂ＝1.16720×10-4，Ｃ＝2.77584×10-6，
Ｄ＝-1.63993×10-7，Ｅ＝1.47411×10-8
【０１１５】
（変倍データ）
広角端    望遠端
D(8)        40.004    6.555
D(17)        1.331   20.219
D(23)        4.600    4.600
【０１１６】
（条件式（１）に関する数値）
νｍａｘ２ａ＝81.61（正レンズＬ222のｄ線に対するアッベ数）
【０１１７】
（条件式（２）に関する数値）
νｍａｘｇ２３＝95.10（負レンズＬ212のｄ線に対するアッベ数）
【０１１８】
（条件式（３）に関する数値）
ｆｇ１／ｆｗ＝-2.92
【０１１９】
（条件式（４）に関する数値）
ｆ１２３＝-5.328（負レンズＬ211と負レンズＬ212と負レンズＬ213の合成焦点距離）
ｆ１２３／ｆｗ＝-1.85
【０１２０】
（条件式（５）に関する数値）
ｆ３ｇｎ＝-29.74（負レンズＬ231の焦点距離）
ｆｔ／ｆ３ｇｎ＝-0.39
【０１２１】
（条件式（６）に関する数値）
ｆ３ｇｐ＝41.43（正レンズＬ232の焦点距離）
ｆｔ／ｆ３ｇｐ＝0.28
【０１２２】
（条件式（７）に関する数値）
ΔＤ２＝18.888（広角端から望遠端への変倍の際の第２レンズ群Ｇ22の移動量）
（ΔＤ２／Ｙ）×（ｆｗ／ｆｔ）＝1.37
【０１２３】
（条件式（８）に関する数値）
Ｎ１＝1.83481（負レンズＬ211のｄ線に対する屈折率）
【０１２４】
（条件式（９）に関する数値）
ｆ３ｇ１＝-29.74（負レンズＬ231の焦点距離）
ｆｔ／ｆ３ｇ１＝-0.39
【０１２５】
（条件式（１０）に関する数値）
ν２＝95.10（負レンズＬ212のｄ線に対するアッベ数）
【０１２６】
（条件式（１１）に関する数値）
ν３＝49.62（負レンズＬ213のｄ線に対するアッベ数）
【０１２７】
（条件式（１２）に関する数値）
Θｍｇｆ＝0.5343（負レンズＬ223の部分分散比）
Θｐｇｆ＝0.5388（正レンズＬ222の部分分散比）
νｍ＝64.20（負レンズＬ223のｄ線に対するアッベ数）
νｐ＝81.61（正レンズＬ222のｄ線に対するアッベ数）
（Θｍｇｆ−Θｐｇｆ）／（νｍ−νｐ）＝  0.000258
【０１２８】
（条件式（１３）に関する数値）
Ｎ３ｇｎ＝1.53168（負レンズＬ231のｄ線に対する屈折率）
【０１２９】
（条件式（１４）に関する数値）
ν３ｇｎ＝64.10（負レンズＬ231のｄ線に対するアッベ数）
【０１３０】
（条件式（１５）に関する数値）
ｔａｎωＷ×（ｆｔ／ｆｗ）＝17.57
【０１３１】
（条件式（１６）に関する数値）
Ｌ／ｆｗ＝30.44
【０１３２】
図４は、実施例２にかかる広角ズームレンズの諸収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は最大像高（図中、Ｙで示す）を表し、Ｓはサジタル平面、Ｍはメリディオナル平面の特性を示している。歪曲収差図において、縦軸は最大像高（図中、Ｙで示す）を表し、ｄ線に相当する波長の特性を示している。
【実施例３】
【０１３３】
図５は、実施例３にかかる広角ズームレンズの構成を示す光軸に沿う断面図である。この広角ズームレンズは、図示しない物体側から順に、負の屈折力を有する第１レンズ群Ｇ31と、正の屈折力を有する第２レンズ群Ｇ32と、負の屈折力を有する第３レンズ群Ｇ33と、が配置されて構成される。第１レンズ群Ｇ31と第２レンズ群Ｇ32との間には、所定の口径を規定する開口絞りＳＴＰが配置されている。また、第３レンズ群Ｇ33と結像面ＩＭＧとの間には、カバーガラスＣＧが配置されている。
【０１３４】
第１レンズ群Ｇ31は、物体側から順に、負レンズＬ311（第１レンズ）と、負レンズＬ312（第２レンズ）と、負レンズＬ313（第３レンズ）と、負レンズＬ314と、正レンズＬ315と、が配置されて構成される。負レンズＬ314と正レンズＬ315とは、接合されている。なお、負レンズＬ314の材質はＴＡＦＤ２５、正レンズＬ315の材質はＦＤＳ１８である。
【０１３５】
第２レンズ群Ｇ32は、物体側から順に、正レンズＬ321と、負レンズＬ322と、正レンズＬ323と、負レンズＬ324と、正レンズＬ325と、が配置されて構成される。正レンズＬ321の両面には、非球面が形成されている。負レンズＬ322と正レンズＬ323とは、接合されている。なお、負レンズＬ322の材質はＢＳＣ７、正レンズＬ323の材質はＦＣＤ１である。負レンズＬ324の両面には、非球面が形成されている。
【０１３６】
第３レンズ群Ｇ33は、物体側から順に、負レンズＬ331と、正レンズＬ332と、が配置されて構成される。
【０１３７】
この広角ズームレンズは、第２レンズ群Ｇ32を光軸に沿って結像面ＩＭＧ側から物体側へ移動させることによって、広角端から望遠端への変倍を行う。変倍に伴う結像面ＩＭＧの位置の補正を、第１レンズ群Ｇ31を光軸に沿って物体側から結像面ＩＭＧ側へ移動させることによって行う。なお、開口絞りＳＴＰと第３レンズ群Ｇ33は常時固定されており、変倍に際して移動しない。
【０１３８】
以下、実施例３にかかる広角ズームレンズに関する各種数値データを示す。
【０１３９】
広角ズームレンズ全系の焦点距離＝2.87（ｆｗ：広角端）〜11.65（ｆｔ：望遠端）
Ｆナンバー＝1.44（広角端）〜2.62（望遠端）
画角（２ω）＝73.73（広角端）〜15.53（望遠端）
最大像高（Ｙ）＝3.20
第１レンズ群Ｇ31の合成焦点距離（ｆｇ１）＝-8.04
第２レンズ群Ｇ32の合成焦点距離＝12.40
第３レンズ群Ｇ33の合成焦点距離＝-78.39
変倍比＝4.06
第２レンズ群Ｇ32の最像側レンズの後面有効径＝4.97
第３レンズ群Ｇ33の最物体側レンズの前面有効径＝4.73
【０１４０】
（レンズデータ）
ｒ1＝46.430
ｄ1＝1.200    ｎｄ1＝1.741    νｄ1＝48.24
ｒ2＝10.314
ｄ2＝6.867
ｒ3＝75.682
ｄ3＝1.200    ｎｄ2＝1.497    νｄ2＝81.61
ｒ4＝28.408
ｄ4＝2.650
ｒ5＝-16.390
ｄ5＝1.000    ｎｄ3＝1.80484    νｄ3＝41.79
ｒ6＝794.257
ｄ6＝0.100
ｒ7＝34.689
ｄ7＝1.000    ｎｄ4＝1.91159    νｄ4＝32.02
ｒ8＝17.129
ｄ8＝1.997    ｎｄ5＝1.94594    νｄ5＝16.29
ｒ9＝80.440
ｄ9＝D(9)（可変）
ｒ10＝∞（開口絞り）
ｄ10＝D(10)（可変）
ｒ11＝14.911（非球面）
ｄ11＝4.0412    ｎｄ6＝1.4971    νｄ6＝81.56
ｒ12＝-131.707（非球面）
ｄ12＝0.1
ｒ13＝50.000
ｄ13＝0.600    ｎｄ7＝1.5168    νｄ7＝64.20
ｒ14＝10.118
ｄ14＝5.145    ｎｄ8＝1.497    νｄ8＝81.61
ｒ15＝-14.347
ｄ15＝0.135
ｒ16＝14.211（非球面）
ｄ16＝0.6    ｎｄ9＝1.92286    νｄ9＝20.88
ｒ17＝9.580（非球面）
ｄ17＝1.2156
ｒ18＝12.100
ｄ18＝2.713    ｎｄ10＝1.4971    νｄ10＝81.56
ｒ19＝-57.701
ｄ19＝D(19)（可変）
ｒ20＝43.109
ｄ20＝0.600    ｎｄ11＝1.5556    νｄ11＝67.09
ｒ21＝8.386
ｄ21＝1.165
ｒ22＝21.373
ｄ22＝1.920    ｎｄ12＝1.5031    νｄ12＝71.2
ｒ23＝-35.692
ｄ23＝5.000
ｒ24＝∞
ｄ24＝1.5    ｎｄ13＝1.51633    νｄ13＝64.14
ｒ25＝∞
ｄ25＝2.62
ｒ26＝∞（結像面）
【０１４１】
円錐係数（ε）および非球面係数（Ａ，Ｂ，Ｃ，Ｄ，Ｅ）
（第１１面）
ε＝1，
Ａ＝0，
Ｂ＝-1.39873×10-4，Ｃ＝-2.56848×10-6，
Ｄ＝-1.16702×10-8，Ｅ＝-7.31×10-10
（第１２面）
ε＝1，
Ａ＝0，
Ｂ＝1.14618×10-4，Ｃ＝-2.25909×10-6，
Ｄ＝-5.94198×10-8，Ｅ＝4.16×10-10
（第１６面）
ε＝1，
Ａ＝0，
Ｂ＝1.74625×10-5，Ｃ＝-1.61275×10-6，
Ｄ＝-4.55331×10-8，Ｅ＝9.07×10-10
（第１７面）
ε＝1，
Ａ＝0，
Ｂ＝-1.80098×10-6，Ｃ＝-1.70672×10-6，
Ｄ＝-6.74538×10-8，Ｅ＝1.37×10-9
【０１４２】
（変倍データ）
広角端    望遠端
D(9)        21.495    1.304
D(10)       13.321    1.033
D(19)        0.600   11.888
【０１４３】
（条件式（１）に関する数値）
νｍａｘ２ａ＝81.61（正レンズＬ323のｄ線に対するアッベ数）
【０１４４】
（条件式（２）に関する数値）
νｍａｘｇ２３＝81.61（負レンズＬ312のｄ線に対するアッベ数）
【０１４５】
（条件式（３）に関する数値）
ｆｇ１／ｆｗ＝-2.80
【０１４６】
（条件式（４）に関する数値）
ｆ１２３＝-14.84（負レンズＬ311と負レンズＬ312と負レンズＬ313の合成焦点距離）
ｆ１２３／ｆｗ＝-2.31
【０１４７】
（条件式（５）に関する数値）
ｆ３ｇｎ＝-18.79（負レンズＬ331の焦点距離）
ｆｔ／ｆ３ｇｎ＝-0.62
【０１４８】
（条件式（６）に関する数値）
ｆ３ｇｐ＝105.91（正レンズＬ332の焦点距離）
ｆｔ／ｆ３ｇｐ＝0.11
【０１４９】
（条件式（７）に関する数値）
ΔＤ２＝11.288（広角端から望遠端への変倍の際の第２レンズ群Ｇ32の移動量）
（ΔＤ２／Ｙ）×（ｆｗ／ｆｔ）＝0.87
【０１５０】
（条件式（８）に関する数値）
Ｎ１＝1.741（負レンズＬ311のｄ線に対する屈折率）
【０１５１】
（条件式（９）に関する数値）
ｆ３ｇ１＝-18.79（負レンズＬ331の焦点距離）
ｆｔ／ｆ３ｇ１＝-0.62
【０１５２】
（条件式（１０）に関する数値）
ν２＝81.61（負レンズＬ312のｄ線に対するアッベ数）
【０１５３】
（条件式（１１）に関する数値）
ν３＝41.79（負レンズＬ313のｄ線に対するアッベ数）
【０１５４】
（条件式（１２）に関する数値）
Θｍｇｆ＝0.5343（負レンズＬ322の部分分散比）
Θｐｇｆ＝0.5388（正レンズＬ323の部分分散比）
νｍ＝64.20（負レンズＬ322のｄ線に対するアッベ数）
νｐ＝81.61（正レンズＬ323のｄ線に対するアッベ数）
（Θｍｇｆ−Θｐｇｆ）／（νｍ−νｐ）＝0.000258
【０１５５】
（条件式（１３）に関する数値）
Ｎ３ｇｎ＝1.5556（負レンズＬ331のｄ線に対する屈折率）
【０１５６】
（条件式（１４）に関する数値）
ν３ｇｎ＝67.09（負レンズＬ331のｄ線に対するアッベ数）
【０１５７】
（条件式（１５）に関する数値）
ｔａｎωＷ×（ｆｔ／ｆｗ）＝13.87
【０１５８】
（条件式（１６）に関する数値）
Ｌ／ｆｗ＝27.27
【０１５９】
図６は、実施例３にかかる広角ズームレンズの諸収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は最大像高（図中、Ｙで示す）を表し、Ｓはサジタル平面、Ｍはメリディオナル平面の特性を示している。歪曲収差図において、縦軸は最大像高（図中、Ｙで示す）を表し、ｄ線に相当する波長の特性を示している。
【実施例４】
【０１６０】
図７は、実施例４にかかる広角ズームレンズの構成を示す光軸に沿う断面図である。この広角ズームレンズは、図示しない物体側から順に、負の屈折力を有する第１レンズ群Ｇ41と、正の屈折力を有する第２レンズ群Ｇ42と、負の屈折力を有する第３レンズ群Ｇ43と、が配置されて構成される。第１レンズ群Ｇ41と第２レンズ群Ｇ42との間には、所定の口径を規定する開口絞りＳＴＰが配置されている。また、第３レンズ群Ｇ43と結像面ＩＭＧとの間には、カバーガラスＣＧが配置されている。
【０１６１】
第１レンズ群Ｇ41は、物体側から順に、負レンズＬ411（第１レンズ）と、負レンズＬ412（第２レンズ）と、負レンズＬ413（第３レンズ）と、負レンズＬ414と、正レンズＬ415と、が配置されて構成される。負レンズＬ414と正レンズＬ415とは、接合されている。なお、負レンズＬ414の材質はＦＤＳ１、正レンズＬ415の材質はＦＤ６０である。
【０１６２】
第２レンズ群Ｇ42は、物体側から順に、正レンズＬ421と、負レンズＬ422と、正レンズＬ423と、負レンズＬ424と、正レンズＬ425と、が配置されて構成される。正レンズＬ421の両面には、非球面が形成されている。負レンズＬ422と正レンズＬ423とは、接合されている。なお、負レンズＬ422の材質はＢＳＣ７、正レンズＬ423の材質はＦＣＤ１である。負レンズＬ424の両面には、非球面が形成されている。
【０１６３】
第３レンズ群Ｇ43は、物体側から順に、負レンズＬ431と、正レンズＬ432と、が配置されて構成される。
【０１６４】
この広角ズームレンズは、第２レンズ群Ｇ42を光軸に沿って結像面ＩＭＧ側から物体側へ移動させることによって、広角端から望遠端への変倍を行う。変倍に伴う結像面ＩＭＧの位置の補正を、第１レンズ群Ｇ41を光軸に沿って物体側から結像面ＩＭＧ側へ移動させることによって行う。なお、開口絞りＳＴＰと第３レンズ群Ｇ43は常時固定されており、変倍に際して移動しない。
【０１６５】
以下、実施例４にかかる広角ズームレンズに関する各種数値データを示す。
【０１６６】
広角ズームレンズ全系の焦点距離＝2.87（ｆｗ：広角端）〜11.65（ｆｔ：望遠端）
Ｆナンバー＝1.44（広角端）〜2.62（望遠端）
画角（２ω）＝74.71（広角端）〜15.53（望遠端）
最大像高（Ｙ）＝3.21
第１レンズ群Ｇ41の合成焦点距離（ｆｇ１）＝-8.04
第２レンズ群Ｇ42の合成焦点距離＝12.59
第３レンズ群Ｇ43の合成焦点距離＝-59.81
変倍比＝4.06
第２レンズ群Ｇ42の最像側レンズの後面有効径＝4.97
第３レンズ群Ｇ43の最物体側レンズの前面有効径＝4.41
【０１６７】
（レンズデータ）
ｒ1＝35.533
ｄ1＝1.200    ｎｄ1＝1.77252    νｄ1＝38.54
ｒ2＝9.753
ｄ2＝3.858
ｒ3＝37.383
ｄ3＝1.200    ｎｄ2＝1.497    νｄ2＝81.61
ｒ4＝20.222
ｄ4＝3.809
ｒ5＝-14.488
ｄ5＝1.000    ｎｄ3＝1.7725    νｄ3＝38.55
ｒ6＝52.422
ｄ6＝0.100
ｒ7＝18.569
ｄ7＝1.000    ｎｄ4＝1.93049    νｄ4＝17.55
ｒ8＝8.594
ｄ8＝3.594    ｎｄ5＝1.80105    νｄ5＝25.46
ｒ9＝265.171
ｄ9＝D(9)（可変）
ｒ10＝∞（開口絞り）
ｄ10＝D(10)（可変）
ｒ11＝14.816（非球面）
ｄ11＝3.973    ｎｄ6＝1.4971    νｄ6＝81.56
ｒ12＝-247.781（非球面）
ｄ12＝0.100
ｒ13＝50.000
ｄ13＝0.600    ｎｄ7＝1.5168    νｄ7＝64.20
ｒ14＝9.828
ｄ14＝5.369    ｎｄ8＝1.497    νｄ8＝81.61
ｒ15＝-13.942
ｄ15＝0.100
ｒ16＝13.891（非球面）
ｄ16＝0.600    ｎｄ9＝1.92286    νｄ9＝20.88
ｒ17＝10.361（非球面）
ｄ17＝1.584
ｒ18＝15.002
ｄ18＝2.427    ｎｄ10＝1.4971    νｄ10＝81.56
ｒ19＝-68.611
ｄ19＝D(19)（可変）
ｒ20＝18.310
ｄ20＝0.600    ｎｄ11＝1.6727    νｄ11＝32.17
ｒ21＝8.049
ｄ21＝1.136
ｒ22＝21.820
ｄ22＝1.637    ｎｄ12＝1.57012    νｄ12＝32.19
ｒ23＝-321.148
ｄ23＝5.000
ｒ24＝∞
ｄ24＝1.500    ｎｄ13＝1.51633    νｄ13＝64.14
ｒ25＝∞
ｄ25＝2.618
ｒ26＝∞（結像面）
【０１６８】
円錐係数（ε）および非球面係数（Ａ，Ｂ，Ｃ，Ｄ，Ｅ）
（第１１面）
ε＝1，
Ａ＝0，
Ｂ＝-1.33356×10-4，Ｃ＝-2.29576×10-6，
Ｄ＝-2.02142×10-8，Ｅ＝-5.45895
（第１２面）
ε＝1，
Ａ＝0，
Ｂ＝1.22917×10-4，Ｃ＝-2.20807×10-6，
Ｄ＝-5.70594×10-8，Ｅ＝4.30418
（第１６面）
ε＝1，
Ａ＝0，
Ｂ＝1.64812×10-5，Ｃ＝-1.60623×10-6，
Ｄ＝-4.33044×10-8，Ｅ＝9.66886
（第１７面）
ε＝1，
Ａ＝0，
Ｂ＝3.85249×10-6，Ｃ＝-1.47880×10-6，
Ｄ＝-6.50688×10-8，Ｅ＝1.49555
【０１６９】
（変倍データ）
広角端    望遠端
D(9)        21.704    1.217
D(10)       12.475    1.032
D(19)        0.600   12.042
【０１７０】
（条件式（１）に関する数値）
νｍａｘ２ａ＝81.61（正レンズＬ423のｄ線に対するアッベ数）
【０１７１】
（条件式（２）に関する数値）
νｍａｘｇ２３＝81.61（負レンズＬ412のｄ線に対するアッベ数）
【０１７２】
（条件式（３）に関する数値）
ｆｇ１／ｆｗ＝-2.80
【０１７３】
（条件式（４）に関する数値）
ｆ１２３＝-16.01（負レンズＬ411と負レンズＬ412と負レンズＬ413の合成焦点距離）
ｆ１２３／ｆｗ＝-2.00
【０１７４】
（条件式（５）に関する数値）
ｆ３ｇｎ＝-18.80（負レンズＬ431の焦点距離）
ｆｔ／ｆ３ｇｎ＝-0.53
【０１７５】
（条件式（６）に関する数値）
ｆ３ｇｐ＝105.91（正レンズＬ432の焦点距離）
ｆｔ／ｆ３ｇｐ＝0.11
【０１７６】
（条件式（７）に関する数値）
ΔＤ２＝11.443（広角端から望遠端への変倍の際の第２レンズ群Ｇ42の移動量）
（ΔＤ２／Ｙ）×（ｆｗ／ｆｔ）＝0.88
【０１７７】
（条件式（８）に関する数値）
Ｎ１＝1.77252（負レンズＬ411のｄ線に対する屈折率）
【０１７８】
（条件式（９）に関する数値）
ｆ３ｇ１＝-18.80（負レンズＬ431の焦点距離）
ｆｔ／ｆ３ｇ１＝-0.62
【０１７９】
（条件式（１０）に関する数値）
ν２＝81.61（負レンズＬ412のｄ線に対するアッベ数）
【０１８０】
（条件式（１１）に関する数値）
ν３＝38.55（負レンズＬ413のｄ線に対するアッベ数）
【０１８１】
（条件式（１２）に関する数値）
Θｍｇｆ＝0.5343（負レンズＬ422の部分分散比）
Θｐｇｆ＝0.5388（正レンズＬ423の部分分散比）
νｍ＝64.20（負レンズＬ422のｄ線に対するアッベ数）
νｐ＝81.61（正レンズＬ423のｄ線に対するアッベ数）
（Θｍｇｆ−Θｐｇｆ）／（νｍ−νｐ）＝0.000258
【０１８２】
（条件式（１３）に関する数値）
Ｎ３ｇｎ＝1.6727（負レンズＬ431のｄ線に対する屈折率）
【０１８３】
（条件式（１４）に関する数値）
ν３ｇｎ＝32.17（負レンズＬ431のｄ線に対するアッベ数）
【０１８４】
（条件式（１５）に関する数値）
ｔａｎωＷ×（ｆｔ／ｆｗ）＝14.81
【０１８５】
（条件式（１６）に関する数値）
Ｌ／ｆｗ＝27.28
【０１８６】
図８は、実施例４にかかる広角ズームレンズの諸収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は最大像高（図中、Ｙで示す）を表し、Ｓはサジタル平面、Ｍはメリディオナル平面の特性を示している。歪曲収差図において、縦軸は最大像高（図中、Ｙで示す）を表し、ｄ線に相当する波長の特性を示している。
【実施例５】
【０１８７】
図９は、実施例５にかかる広角ズームレンズの構成を示す光軸に沿う断面図である。この広角ズームレンズは、図示しない物体側から順に、負の屈折力を有する第１レンズ群Ｇ51と、正の屈折力を有する第２レンズ群Ｇ52と、負の屈折力を有する第３レンズ群Ｇ53と、正の屈折力を有する第４ンズ群Ｇ54と、が配置されて構成される。第１レンズ群Ｇ51と第２レンズ群Ｇ52との間には、所定の口径を規定する開口絞りＳＴＰが配置されている。また、第４レンズ群Ｇ54と結像面ＩＭＧとの間には、カバーガラスＣＧが配置されている。
【０１８８】
第１レンズ群Ｇ51は、物体側から順に、負レンズＬ511（第１レンズ）と、負レンズＬ512（第２レンズ）と、負レンズＬ513（第３レンズ）と、負レンズＬ514と、正レンズＬ515と、が配置されて構成される。負レンズＬ514と正レンズＬ515とは、接合されている。なお、負レンズＬ514の材質はＥＦＬ５、正レンズＬ515の材質はＳＮＰＨ３である。
【０１８９】
第２レンズ群Ｇ52は、物体側から順に、正レンズＬ521と、負レンズＬ522と、正レンズＬ523と、負レンズＬ524と、正レンズＬ525と、が配置されて構成される。正レンズＬ521の両面には、非球面が形成されている。負レンズＬ522と正レンズＬ523とは、接合されている。なお、負レンズＬ522の材質はＢＳＣ７、正レンズＬ523の材質はＦＣＤ１である。正レンズＬ525の両面には、非球面が形成されている。
【０１９０】
第３レンズ群Ｇ53は、負レンズＬ531により構成される。
【０１９１】
第４レンズ群Ｇ54は、正レンズＬ541により構成される。
【０１９２】
この広角ズームレンズは、第２レンズ群Ｇ52を光軸に沿って結像面ＩＭＧ側から物体側へ、第３レンズ群Ｇ53を光軸に沿って物体側から結像面ＩＭＧ側へそれぞれ移動させることによって、広角端から望遠端への変倍を行う。このとき、開口絞りＳＴＰも光軸に沿って結像面ＩＭＧ側から物体側へ移動する。変倍に伴う結像面ＩＭＧの位置の補正を、第１レンズ群Ｇ51を光軸に沿って物体側から結像面ＩＭＧ側へ移動させることによって行う。なお、第４レンズ群Ｇ54は常時固定されており、変倍に際して移動しない。
【０１９３】
以下、実施例５にかかる広角ズームレンズに関する各種数値データを示す。
【０１９４】
広角ズームレンズ全系の焦点距離＝2.87（ｆｗ：広角端）〜11.65（ｆｔ：望遠端）
Ｆナンバー＝1.43（広角端）〜2.63（望遠端）
画角（２ω）＝72.8（広角端）〜15.4（望遠端）
最大像高（Ｙ）＝3.21
第１レンズ群Ｇ51の合成焦点距離（ｆｇ１）＝-9.36
第２レンズ群Ｇ52の合成焦点距離＝13.29
第３レンズ群Ｇ53の合成焦点距離＝-17.82
第４レンズ群Ｇ54の合成焦点距離＝16.82
変倍比＝4.06
第２レンズ群Ｇ52の最像側レンズの後面有効径＝4.97
第３レンズ群Ｇ53の最物体側レンズの前面有効径＝3.61
【０１９５】
（レンズデータ）
ｒ1＝68.477
ｄ1＝1.200    ｎｄ1＝1.7725    νｄ1＝49.62
ｒ2＝9.865
ｄ2＝4.753
ｒ3＝124.938
ｄ3＝1.200    ｎｄ2＝1.497    νｄ2＝81.61
ｒ4＝32.867
ｄ4＝2.558
ｒ5＝-21.452
ｄ5＝1.000    ｎｄ3＝1.7725    νｄ3＝49.62
ｒ6＝125.558
ｄ6＝0.101
ｒ7＝39.790
ｄ7＝1.000    ｎｄ4＝1.58144    νｄ4＝40.89
ｒ8＝23.361
ｄ8＝2.306    ｎｄ5＝1.95906    νｄ5＝17.47
ｒ9＝185.730
ｄ9＝D(9)（可変）
ｒ10＝∞（開口絞り）
ｄ10＝D(10)（可変）
ｒ11＝14.643（非球面）
ｄ11＝4.2361    ｎｄ6＝1.4971    νｄ6＝81.56
ｒ12＝-41.883（非球面）
ｄ12＝0.3016
ｒ13＝48.401
ｄ13＝0.600    ｎｄ7＝1.5168    νｄ7＝64.20
ｒ14＝7.201
ｄ14＝5.693    ｎｄ8＝1.497    νｄ8＝81.61
ｒ15＝-15.738
ｄ15＝0.100
ｒ16＝20.459
ｄ16＝2.234    ｎｄ9＝1.95906    νｄ9＝17.47
ｒ17＝11.527
ｄ17＝0.706
ｒ18＝14.941（非球面）
ｄ18＝1.657    ｎｄ10＝1.4971    νｄ10＝81.56
ｒ19＝-113.654（非球面）
ｄ19＝D(19)（可変）
ｒ20＝109.518
ｄ20＝0.600    ｎｄ11＝1.50674  νｄ11＝74.26
ｒ21＝8.398
ｄ21＝D(21)（可変）
ｒ22＝15.130
ｄ22＝1.751    ｎｄ12＝1.77254    νｄ12＝46.32
ｒ23＝-90.741
ｄ23＝5.000
ｒ24＝∞
ｄ24＝1.5    ｎｄ13＝1.51633    νｄ13＝64.14
ｒ25＝∞
ｄ25＝0.2026
ｒ26＝∞（結像面）
【０１９６】
円錐係数（ε）および非球面係数（Ａ，Ｂ，Ｃ，Ｄ，Ｅ）
（第１１面）
ε＝1，
Ａ＝0，
Ｂ＝-6.82166×10-5，Ｃ＝-3.13462×10-6，
Ｄ＝5.80532×10-8，Ｅ＝-1.12451
（第１２面）
ε＝1，
Ａ＝0，
Ｂ＝1.34112×10-4，Ｃ＝-2.98100×10-6，
Ｄ＝4.01217×10-8，Ｅ＝-7.88867
（第１８面）
ε＝1，
Ａ＝0，
Ｂ＝2.62557×10-5，Ｃ＝-2.47204×10-6，
Ｄ＝-2.36286×10-8，Ｅ＝9.02411
（第１９面）
ε＝1，
Ａ＝0，
Ｂ＝3.40831×10-5，Ｃ＝-2.99033×10-6，
Ｄ＝5.08625×10-8，Ｅ＝-7.21980
【０１９７】
（変倍データ）
広角端    望遠端
D(9)        36.543    1.229
D(10)        0.197    1.029
D(19)        0.604   12.789
D(21)        2.5127   1.3843
【０１９８】
（条件式（１）に関する数値）
νｍａｘ２ａ＝81.61（正レンズＬ523のｄ線に対するアッベ数）
【０１９９】
（条件式（２）に関する数値）
νｍａｘｇ２３＝81.61（負レンズＬ512のｄ線に対するアッベ数）
【０２００】
（条件式（３）に関する数値）
ｆｇ１／ｆｗ＝-3.26
【０２０１】
（条件式（４）に関する数値）
ｆ１２３＝-11.31（負レンズＬ511と負レンズＬ512と負レンズＬ513の合成焦点距離）
ｆ１２３／ｆｗ＝-2.35
【０２０２】
（条件式（５）に関する数値）
ｆ３ｇｎ＝-17.92（負レンズＬ531の焦点距離）
ｆｔ／ｆ３ｇｎ＝-0.65
【０２０３】
（条件式（６）に関する数値）
ｆ３ｇｐ＝166.43（正レンズＬ541の焦点距離）
ｆｔ／ｆ３ｇｐ＝0.07
【０２０４】
（条件式（７）に関する数値）
ΔＤ２＝11.057（広角端から望遠端への変倍の際の第２レンズ群Ｇ52の移動量）
（ΔＤ２／Ｙ）×（ｆｗ／ｆｔ）＝0.85
【０２０５】
（条件式（８）に関する数値）
Ｎ１＝1.7725（負レンズＬ511のｄ線に対する屈折率）
【０２０６】
（条件式（９）に関する数値）
ｆ３ｇ１＝-17.92（負レンズＬ531の焦点距離）
ｆｔ／ｆ３ｇ１＝-0.65
【０２０７】
（条件式（１０）に関する数値）
ν２＝81.61（負レンズＬ512のｄ線に対するアッベ数）
【０２０８】
（条件式（１１）に関する数値）
ν３＝49.62（負レンズＬ513のｄ線に対するアッベ数）
【０２０９】
（条件式（１２）に関する数値）
Θｍｇｆ＝0.5343（負レンズＬ522の部分分散比）
Θｐｇｆ＝0.5388（正レンズＬ523の部分分散比）
νｍ＝64.20（負レンズＬ522のｄ線に対するアッベ数）
νｐ＝81.61（正レンズＬ523のｄ線に対するアッベ数）
（Θｍｇｆ−Θｐｇｆ）／（νｍ−νｐ）＝0.000258
【０２１０】
（条件式（１３）に関する数値）
Ｎ３ｇｎ＝1.50674（負レンズＬ531のｄ線に対する屈折率）
【０２１１】
（条件式（１４）に関する数値）
ν３ｇｎ＝74.26（負レンズＬ531のｄ線に対するアッベ数）
【０２１２】
（条件式（１５）に関する数値）
ｔａｎωＷ×（ｆｔ／ｆｗ）＝13.12
【０２１３】
（条件式（１６）に関する数値）
Ｌ／ｆｗ＝27.04
【０２１４】
図１０は、実施例５にかかる広角ズームレンズの諸収差図である。球面収差図において、縦軸はＦナンバー（図中、Ｆｎｏで示す）を表し、実線はｄ線（λ＝５８７．５６ｎｍ）、短破線はｇ線（λ＝４３５．８４ｎｍ）、長破線はＣ線（λ＝６５６．２８ｎｍ）に相当する波長の特性を示している。非点収差図において、縦軸は最大像高（図中、Ｙで示す）を表し、Ｓはサジタル平面、Ｍはメリディオナル平面の特性を示している。歪曲収差図において、縦軸は最大像高（図中、Ｙで示す）を表し、ｄ線に相当する波長の特性を示している。
【０２１５】
なお、上記各実施例中の数値データにおいて、ｒ1，ｒ2，・・・・は各レンズ、絞り面等の曲率半径、ｄ1，ｄ2，・・・・は各レンズ、絞り等の肉厚またはそれらの面間隔、ｎｄ1，ｎｄ2，・・・・は各レンズ等のｄ線（λ＝５８７．５６ｎｍ）に対する屈折率、νｄ1，νｄ2，・・・・は各レンズ等のｄ線（λ＝５８７．５６ｎｍ）に対するアッベ数を示している。そして、長さの単位はすべて「ｍｍ」、角度の単位はすべて「°」である。
【０２１６】
また、上記各非球面形状は、光軸に垂直な方向の高さをＨ、レンズ面頂を原点としたときの高さＨにおける光軸方向の変位量をｘ、近軸曲率半径をＲ、円錐係数をε、２次，４次，６次，８次，１０次の非球面係数をそれぞれＡ，Ｂ，Ｃ，Ｄ、Ｅとし、光の進行方向を正とするとき、以下に示す式により表される。
【０２１７】
【数１】
0006302397.tif 000002
【０２１８】
上記各実施例に示したように、本発明によれば、上記各条件式を満足することにより、可視光全域のみならず近赤外光域の撮影が可能な、高変倍（４倍程度）、大口径、高解像の広角ズームレンズを実現することができる。この広角ズームレンズは、全長が短く、色収差の補正、周辺解像性能が特に優れている。さらに、この広角ズームレンズは、適宜非球面が形成されたレンズや接合レンズを配置したことにより、解像度をより向上させることができる。
【産業上の利用可能性】
【０２１９】
以上のように、本発明にかかる広角ズームレンズは、ＣＣＤやＣ−ＭＯＳ等の固体撮像素子が搭載された撮像装置に有用であり、特に、夜間の撮影も行うことが要求される撮像装置に適している。
【符号の説明】
【０２２０】
Ｇ11，Ｇ21，Ｇ31，Ｇ41，Ｇ51  第１レンズ群
Ｇ12，Ｇ22，Ｇ32，Ｇ42，Ｇ52  第２レンズ群
Ｇ13，Ｇ23，Ｇ33，Ｇ43，Ｇ53  第３レンズ群
Ｇ54  第４レンズ群
Ｌ111，Ｌ112，Ｌ113，Ｌ114，Ｌ122，Ｌ124，Ｌ131，Ｌ211，Ｌ212，Ｌ213，Ｌ223，Ｌ224，Ｌ231，Ｌ311，Ｌ312，Ｌ313，Ｌ314，Ｌ322，Ｌ324，Ｌ331，Ｌ411，Ｌ412，Ｌ413，Ｌ414，Ｌ422，Ｌ424，Ｌ431，Ｌ511，Ｌ512，Ｌ513，Ｌ514，Ｌ522，Ｌ524，Ｌ531  負レンズ
Ｌ115，Ｌ121，Ｌ123，Ｌ125，Ｌ132，Ｌ214，Ｌ221，Ｌ222，Ｌ225，Ｌ232，Ｌ315，Ｌ321，Ｌ323，Ｌ325，Ｌ332，Ｌ415，Ｌ421，Ｌ423，Ｌ425，Ｌ432，Ｌ515，Ｌ521，Ｌ523，Ｌ525，Ｌ541  正レンズ
ＳＴＰ  開口絞り
ＣＧ  カバーガラス
ＩＭＧ  結像面
【図１】
0006302397.tif 000003
【図２】
0006302397.tif 000004
【図３】
0006302397.tif 000005
【図４】
0006302397.tif 000006
【図５】
0006302397.tif 000007
【図６】
0006302397.tif 000008
【図７】
0006302397.tif 000009
【図８】
0006302397.tif 000010
【図９】
0006302397.tif 000011
【図１０】
0006302397.tif 000012